【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
損傷サイズ測定用開口部を有する位置合わせテンプレート（１５）と、
前記位置合わせテンプレート（１５）によって保持され、複数の同心円状の損傷サイズ測定用開口部を有し、それぞれ前記位置合わせテンプレート（１５）の前記損傷サイズ測定用開口部を見当合わせする複数の損傷サイズ測定用シート（２０ａ−２０ｅ）と、
それぞれ前記複数の損傷サイズ測定用シートを介して前記位置合わせテンプレート（１５）から徐々に直径が小さくなる損傷サイズ測定用開口部（２３）と
を備える複合材補修ツール。
【請求項２】
前記位置合わせテンプレート上の少なくとも１つの位置合わせマーキング及び前記複数の損傷サイズ測定用シート（２０ａ−２０ｅ）の各々の上の少なくとも１つの位置合わせ検査用開口部をさらに備え、前記位置合わせマーキングにより見当合わせを行う、請求項１に記載の複合材補修ツール。
【請求項３】
前記少なくとも１つの位置合わせマーキング（１６）は少なくとも１つの色付きドットを備える、請求項２に記載の複合材補修ツール。
【請求項４】
前記複数の損傷サイズ測定用シートそれぞれに複数のシート取り外しタブ（２１）をさらに備える、請求項１に記載の複合材補修ツール。
【請求項５】
前記損傷サイズ測定用シート（２０ａ−２０ｅ）は前記位置合わせテンプレートから次第にサイズが小さくなる、請求項１に記載の複合材補修ツール。
【請求項６】
前記損傷サイズ測定用シートのうちの少なくとも１つは切り詰められた隅部を有する、請求項１に記載の複合材補修ツール。
【請求項７】
前記損傷サイズ測定用シートはくぼんでいて、複数のエッジ上で前記位置合わせテンプレートよりも小さく、前記構造物の上に前記位置合わせテンプレートを固定することが可能で、さらに前記損傷サイズ測定用シートをその後取り外すことが可能である、請求項１に記載の複合材補修ツール。
【請求項８】
前記損傷サイズ測定用シートは一時的に取り外すことができるが、やすりがけ、接着剤塗布、硬化からなる群から選択される少なくとも１つの事象の間に補修面上に取り付けたままにされる、請求項１に記載の複合材補修ツール。
【請求項９】
前記底部損傷サイズ測定用シートの前記損傷サイズ測定用開口部は許容しうる最大の損傷サイズを画定する、請求項１に記載の複合材補修ツール。
【請求項１０】
位置合わせテンプレートを有する複合材応急補修テンプレートツールであって、該位置合わせテンプレート上に損傷サイズ測定用開口部及び損傷サイズ測定用シート（２０ａ−２０ｅ）を有し、該位置合わせテンプレートの損傷サイズ測定用開口部に位置合わせされ、徐々に小さくなる損傷サイズ測定用開口部を有する複合材応急補修テンプレートを提供することと、
補修表面に対して前記位置合わせテンプレートを配置することと、
前記補修表面上の損傷領域が少なくとも１つの損傷サイズ測定用シートの前記損傷サイズ測定用開口部に関して内側且つ中心に配置されるまで、前記位置合わせテンプレートから前記損傷サイズ測定用シートを徐々に取り外していくことと、
前記補修領域を補修することと
を含む、複合材補修方法。
【請求項１１】
補修表面に対して前記位置合わせテンプレートを固定する（１５）ステップをさらに含む、請求項１０に記載の方法。
【請求項１２】
ツール本体を有する複合材補修テンプレートツールに凸湾曲エッジ（３）と凹湾曲エッジ（４）を設けることと、
補修表面に対して前記ツール本体（２）の前記凸湾曲エッジと前記凹湾曲エッジのうちの１つを配置することと、
前記補修表面の輪郭が前記ツール本体の前記凸湾曲エッジと前記凹湾曲エッジのうちの１つよりも大きな湾曲を有する場合に補修プロセスを開始することと
を含む複合材補修方法。
【手続補正２】
【補正対象書類名】明細書
【補正対象項目名】００３２
【補正方法】変更
【補正の内容】
【００３２】
本発明の実施形態を、特定の例示的実施形態に関連させて説明したが、これらの特定の実施形態は説明を目的としているのであって、限定を目的としているのではなく、当業者であれば他の変形例が想起可能であろう。
また、本願は以下に記載する態様を含む。
（態様１）
ツール本体と、
前記ツール本体上の凸湾曲エッジと、
前記ツール本体上の凹湾曲エッジと
を備える複合材補修テンプレートツール。
（態様２）
前記ツール本体上の定規エッジ及び該定規エッジに沿って前記ツール本体上に複数の定規マーキングをさらに備える、態様１に記載の複合材補修ツール。
（態様３）
前記ツール本体は概して三角形である、態様２に記載の複合材補修ツール。
（態様４）
前記凸湾曲エッジと前記凹湾曲エッジとをつなぐ隅部をさらに備える、態様３に記載の複合材補修ツール。
（態様５）
前記凹湾曲エッジと前記定規エッジとをつなぐ隅部をさらに備える、態様３に記載の複合材補修ツール。
（態様６）
前記定規エッジと前記凸湾曲エッジとをつなぐ隅部をさらに備える、態様３に記載の複合材補修ツール。
（態様７）
前記凸湾曲エッジと前記凹湾曲エッジとをつなぐ第１の隅部、前記凹湾曲エッジと前記定規エッジとをつなぐ第２の隅部、及び前記定規エッジと前記凸湾曲エッジとをつなぐ第３の隅部をさらに備える、態様３に記載の複合材補修ツール。
（態様８）
前記凸湾曲エッジと前記凹湾曲エッジとをつなぐ切り欠きのある隅部、及び前記定規エッジと前記凸湾曲エッジとをつなぐ切り詰められた隅部をさらに備える、態様３に記載の複合材補修ツール。
（態様９）
損傷サイズ測定用開口部を有する位置合わせテンプレートと、
前記位置合わせテンプレートによって保持され、複数の同心円状の損傷サイズ測定用開口部を有し、それぞれ前記位置合わせテンプレートの前記損傷サイズ測定用開口部を見当合わせする複数の損傷サイズ測定用シートと、
それぞれ前記複数の損傷サイズ測定用シートを介して前記位置合わせテンプレートから徐々に直径が小さくなる損傷サイズ測定用開口部と
を備える複合材補修ツール。
（態様１０）
前記位置合わせテンプレート上の少なくとも１つの位置合わせマーキング及び前記複数の損傷サイズ測定用シートの各々の上の少なくとも１つの位置合わせ検査用開口部をさらに備え、前記位置合わせマーキングにより見当合わせを行う、態様９に記載の複合材補修ツール。
（態様１１）
前記少なくとも１つの位置合わせマーキングは少なくとも１つの色付きドットを備える、態様１０に記載の複合材補修ツール。
（態様１２）
前記複数の損傷サイズ測定用シートそれぞれに複数のシート取り外しタブをさらに備える、態様９に記載の複合材補修ツール。
（態様１３）
前記損傷サイズ測定用シートは前記位置合わせテンプレートから次第にサイズが小さくなる、態様９に記載の複合材補修ツール。
（態様１４）
前記損傷サイズ測定用シートのうちの少なくとも１つは切り詰められた隅部を有する、態様９に記載の複合材補修ツール。
（態様１５）
前記損傷サイズ測定用シートはくぼんでいて、複数のエッジ上で前記位置合わせテンプレートよりも小さく、前記構造物の上に前記位置合わせテンプレートを固定することが可能で、さらに前記損傷サイズ測定用シートをその後取り外すことが可能である、態様９に記載の複合材補修ツール。
（態様１６）
前記損傷サイズ測定用シートは一時的に取り外すことができるが、やすりがけ、接着剤塗布、硬化からなる群から選択される少なくとも１つの事象の間に前記補修面上に取り付けたままにされる、態様９に記載の複合材補修ツール。
（態様１７）
前記底部損傷サイズ測定用シートの前記損傷サイズ測定用開口部は許容しうる最大の損傷サイズを画定する、態様９に記載の複合材補修ツール。
（態様１８）
ツール本体を有する複合材補修テンプレートツールに凸湾曲エッジと凹湾曲エッジを設けることと、
補修表面に対して前記ツール本体の凸湾曲エッジと凹湾曲エッジのうちの１つを配置することと、
前記補修表面の輪郭が前記ツール本体の前記凸湾曲エッジと前記凹湾曲エッジのうちの１つと一致する場合に補修プロセスを開始することと
を含む複合材補修方法。
（態様１９）
補修プロセスを開始することは、前記補修領域をやすりがけすることと、前記補修領域に接着剤を塗布することと、前記接着剤に補修パッチを貼付することと、前記接着剤を硬化させることとを備える、態様１８に記載の方法。
（態様２０）
ツール本体を有する複合材補修テンプレートツールを提供することは、定規エッジ及び該定規エッジに沿った定規マーキングを伴うツール本体を有する複合材補修テンプレートツールを提供することを含み、さらに前記定規マーキングを使用して前記補修領域の位置及びサイズのうちの少なくとも１つを測定することをさらに含む、態様１８に記載の方法。
（態様２１）
ツール本体を有する複合材補修テンプレートツールを提供することは、前記凸湾曲エッジと前記凹湾曲エッジとの間の切り欠きのある隅部、及び前記定規エッジと前記凸湾曲エッジとの間の切り詰められた隅部を備えるツール本体を有する複合材補修テンプレートツールを提供することを含む、態様２０に記載の方法。
（態様２２）
補修表面に対して前記ツール本体の前記凸湾曲エッジと前記凹湾曲エッジのうちの１つを配置することは、前記補修表面に対して前記凸湾曲エッジを配置することを含む、態様１８に記載の方法。
（態様２３）
補修表面に対して前記ツール本体の前記凸湾曲エッジと前記凹湾曲エッジのうちの１つを配置することは、前記補修表面に対して前記凹湾曲エッジを配置することを含む、態様１８に記載の方法。
（態様２４）
位置合わせテンプレートを有する複合材応急補修テンプレートであって、該位置合わせテンプレート上に損傷サイズ測定用開口部及び損傷サイズ測定用シートを有し、該位置合わせテンプレートの損傷サイズ測定用開口部に位置合わせされ、徐々に小さくなる損傷サイズ測定用開口部を有する複合材応急補修テンプレートを提供することと、
補修表面に対して前記位置合わせテンプレートを配置することと、
前記補修表面上の損傷領域が少なくとも１つの損傷サイズ測定用シートの前記損傷サイズ測定用開口部に関して内側且つ中心に配置されるまで、前記位置合わせテンプレートから前記損傷サイズ測定用シートを徐々に取り外していくことと、
前記補修領域を補修することと
を含む、複合材補修方法。
（態様２５）
補修表面に対して前記位置合わせテンプレートを固定するステップをさらに含む、態様２４に記載の方法。
（態様２６）
ツール本体を有する複合材補修テンプレートツールに凸湾曲エッジと凹湾曲エッジを設けることと、
補修表面に対して前記ツール本体の前記凸湾曲エッジと前記凹湾曲エッジのうちの１つを配置することと、
前記補修表面の輪郭が前記ツール本体の前記凸湾曲エッジと前記凹湾曲エッジのうちの１つよりも大きな湾曲を有する場合に補修プロセスを開始することと
を含む複合材補修方法。